(57)【要約】【課題】布地にロゴを織り出して表現した織りネームにおいて、特にロゴ部分の色調の単調さを解消し、全体的なデザインの多様性の向上をはかる。【解決手段】布地１にロゴを織り出して布部分２の中に文字や図柄等のロゴ部分３，３′を表現した織りネームにおいて、布地部分２を織成する織り糸素材（例えばポリエステル糸）とは異なる織り糸素材（例えばレーヨン糸）を用いてロゴ部分３，３′を織り出すと共に、ロゴ部分３，３′の織り糸素材に適用される染料により、例えばロゴ部分の所要部分（例えば斜線を付した部分）を染色加工して、ロゴ部分３，３′が上下２段に異なる色にて色づけされた織りネームを得る。このようにして、ロゴ部分の繊維自体を染めるという方法で、織りネームの風合いを変えることなく、特にロゴ部分の色調の単調さを解消し、全体的なデザインの多様性の向上をはかることができる。【選択図】  図１
2004339659.tif 000002
【特許請求の範囲】
【請求項１】
布地にロゴを織り出して表現した織りネームにおいて、布地部分を織成する織り糸素材とは異なる織り糸素材を用いてロゴ部分を織り出すと共に、該ロゴ部分の織り糸素材に適用される染料によりロゴ部分の全部又は所要部分を染色加工してなることを特徴とする布製ラベル。
【請求項２】
請求項１に記載の布製ラベルにおいて、ロゴ部分の織り糸素材に適用される染料によりロゴ部分の所要部分を染色加工して、染色部分から染色されない部分へと徐々に色調が変化するロゴ部分を形成したことを特徴とする布製ラベル。
【発明の詳細な説明】
【０００１】
【発明の属する技術分野】
本発明は、例えば衣服等の商品名やブランドの表示用として用いられる布製のラベルに関するものである。
【０００２】
【従来の技術】
例えば細幅の布地よりなる基布に文字・図形等のロゴ表示（商品名やブランド表示等）を施した布製ラベルは、一般にネームと称され、商品名やブランドの表示用として衣服や帽子等の裏に縫着される。
【０００３】
布製ラベルすなわちネームは、基布に凸版印刷やシルクスクリーンなどの印刷技術でロゴを表現したプリントネームと、ジャガード（織り機械の一種）によりロゴを織り出した織りネームとに大別される。
【０００４】
【発明が解決しようとする課題】
上記のうち、プリントネームは、プリントでロゴを現出させるので、微細なロゴも表現でき、またインクの調合によって微妙な色の違いも表現可能である、という利点を有しているが、織物（基布）にインクを乗せて硬化・安定させるものであるから、インクが乗っている部分が広いとネーム自体の風合いが硬くなり、全体的に高級感をもたせることは難しい、という欠点を有している。
【０００５】
一方、織りネームは、ロゴを経糸と緯糸とで織り出すので、ロゴが刺繍のように見えてボリューム感をもたらし、風合いもソフトで肌になじみやすく、上記プリントネームに比し高級感をもつものであるが、織成によってロゴ（文字や図柄等）を織り出すのであるから、細い線や微細な模様等は表現が難しく、特にロゴの色調は単調にならざるを得ず、全体的にデザインの多様さは望むことができない、という課題を有している。
【０００６】
本発明は、上記のような織りネームの課題を解決することを目的とするものである。
【０００７】
【課題を解決するための手段】
本発明は、布地にロゴを織り出して表現した織りネームにおいて、布地部分を織成する織り糸素材（例えばポリエステル糸）とは異なる織り糸素材（例えばレーヨン糸）を用いてロゴ部分を織り出すと共に、該ロゴ部分の織り糸素材に適用される染料によりロゴ部分の全部又は所要部分を染色加工してなることを特徴とするものであり、これにより織りネームの色調の多様性を容易に実現することができる。
【０００８】
また、上記のようにロゴ部分の所要部分を染色加工するものにおいて、染色された部分から染色されない部分へと徐々に色調が変化するロゴ部分を形成することも容易に可能であり、このようにすることにより織りネーム全体のデザイン面での多様性の向上をはかることができ、商品価値のより一層の向上をもたらすことができる。
【０００９】
【発明の実施の形態】
以下、本発明の実施の形態に付き、図面を参照して説明する。
【００１０】
図において、１は例えば細幅形状をなす布地であって、この布地１には文字や図柄等のロゴが織り出され、布地部分２にロゴ部分３，３′を織り出しにて現出させた布製ラベルすなわち織りネームが構成される。
【００１１】
上記において、布地部分２とロゴ部分３，３′とは互いに異なる材質の織り糸を用いて織成される。すなわち、例えば、布地部分２の織り糸としてポリエステル糸を用いた場合は、ロゴ部分３，３′の織り糸としてはレーヨン糸を用いる、というように、ロゴ部分３，３′の織り糸として布地部分２の織り糸とは異なる材質のものを使用する。
【００１２】
そして、でき上がった織りネームを、ロゴ部分３，３′の織り糸の材質、例えばレーヨン糸にのみ適用される染料で染色加工する。その染色加工は従来より公知乃至は周知の方法で行われる。すると、布地部分２は全く染色されないから地色のままであり、ロゴ部分３，３′の全部または所定の部分が狙いの色に染色された織りネームを得ることができる。
【００１３】
例えば、布地部分２を黒色のポリエステル糸、ロゴ部分３，３′を明るいクリーム色のレーヨン糸で織成し、ロゴ部分３の上半分くらい（図にて斜線を付して示した部分）をブルーに染色すると、黒の地色の中にブルーとクリーム色に上下２段に色づけされたロゴが表現された織りネームを得ることができる。
【００１４】
また上記において、ロゴ部分３の上半分くらいをグラデーション用のスクリーンを用いて染色加工することにより、ブルーからクリーム色へと徐々に色調が変化するロゴが表現され、織りネームにおけるロゴ部分の色調デザインの多様性向上をはかることができる。また、従来より公知のスクリーン印刷技術を用いた染色により、ロゴ部分３，３′に任意の色柄を形成することも可能である。
【００１５】
上記のようにして製作されたものは、ロゴ部分の繊維自体を染めるという方法なので、織りネームの風合いが変わることはなく、ロゴ部分が硬くなることはなく、寧ろ染色加工工程により多少柔らかくなるので、直接肌に当る部分にも充分使用可能である。
【００１６】
布地部分２とロゴ部分３，３′との織り糸素材の組合せは、上記のポリエステル糸とレーヨン糸とに限らず、ポリエステル糸，レーヨン糸，アセテート糸，ナイロン糸，綿糸，絹糸等、従来より公知の合成繊維糸及び天然繊維糸のうちの任意の２つ又は３つ以上の組合せが可能である。
【００１７】
これらの織り糸素材にそれぞれ適用される染料については、従来より周知であるので、詳しい説明は省略する。
【００１８】
【発明の効果】
上記のようにして、製織により織り出されたロゴに、更に別の色・柄を付けた織りネームを得ることができるもので、高級感をもつ織りネームのデザイン面での多様性を実現でき、商品価値のより一層の向上をはかることができるもので、特別な新たな設備を必要とせず、製作が簡単でコストが低廉なることと相俟って実用上多大の効果をもたらし得るものである。
【図面の簡単な説明】
【図１】本発明にかかる布製ラベルの一例を示す正面図である。
【図２】図１のＸーＸ線部の断面図である。
【符号の説明】
１      布地
２      布地部分
３      ロゴ部分
３′    ロゴ部分
【図１】
2004339659.tif 000003
【図２】
2004339659.tif 000004